(57)【特許請求の範囲】
【請求項１】
本体と、ピペットに固定されたコーンをピペットから分離するためのエゼクター機構を有するピペットであって、
前記エゼクター機構は、
サンプリングピペットの本体に取り付けられたアクチュエーターと、
前記本体の端からサンプリングコーンの除去を生じさせることのできる下端を有するエゼクターロッドと、
前記アクチュエーターを前記エゼクターロッドと連結するねじ−ナット連結部と、を有し、
前記エゼクターロッドは、
当該エゼクターロッドの後面から当該エゼクターロッドの前面に向かって水平に伸びるノッチと、
当該エゼクターロッドの上面から前記ノッチまで垂直に延びる上ダクトと、
前記ノッチの下に前記上ダクトと軸線方向に整列する下ダクトと、
を有し、
前記ねじ−ナット連結部は、
前記アクチュエータと連結するねじと、
前記ねじを受けることのできるナットとを有し、
前記ナットは、前記ノッチに受け入れられ、
前記ねじは、前記上ダクト及び下ダクトを貫通し、かつ、前記ナットを貫通し、
前記ナットは、前記本体の長手軸線方向にほぼ平行な軸線を中心に回転し、それによって、前記エゼクターロッドを前記長手軸線方向に平行に本体に対して上下に摺動させ、前記エゼクターロッドの下端の位置を、前記本体の長手軸線方向に沿って調節することを可能にする、
ことを特徴とするピペット。
【請求項２】
サンプリングピペット用のエゼクター機構であって、
サンプリングピペットの本体に取り付けられたアクチュエーターと、
前記本体の端からサンプリングコーンの除去を生じさせることのできる下端を有するエゼクターロッドと、
前記アクチュエーターを前記エゼクターロッドと連結するねじ−ナット連結部と、を有し、
前記エゼクターロッドは、
当該エゼクターロッドの後面から当該エゼクターロッドの前面に向かって水平に伸びるノッチと、
当該エゼクターロッドの上面から前記ノッチまで垂直に延びる上ダクトと、
前記ノッチの下に前記上ダクトと軸線方向に整列する下ダクトと、
を有し、
前記ねじ−ナット連結部は、
前記アクチュエータと連結するねじと、
前記ねじを受けることのできるナットとを有し、
前記ナットは、前記ノッチに受け入れられ、
前記ねじは、前記上ダクト及び下ダクトを貫通し、かつ、前記ナットを貫通し、
前記ナットは、前記本体の長手軸線方向にほぼ平行な軸線を中心に回転し、それによって、前記エゼクターロッドを前記長手軸線方向に平行に本体に対して上下に摺動させ、前記エゼクターロッドの下端の位置を、前記本体の長手軸線方向に沿って調節することを可能にする、
ことを特徴とするエゼクター機構。
【請求項３】
下エンドピースと、
前記下エンドピース内に嵌るピストンロッドを有するピストン組立体と、
前記ピストン組立体に接触し、それによって、前記ピストンロッドを前記下エンドピース内で移動させ、前記下エンドピース内の液体の調節を生じさせるコントロールロッドを有するピストン駆動機構を有し、
サンプリングコーンを受けるための端を有する本体と、
エゼクター機構と、を有し、
前記下エンドピース、前記ピストン組立体及び前記ピストン駆動機構は、前記本体内に取り付けられ、
前記エゼクター機構は、
前記本体に取り付けられたアクチュエーターと、
前記本体の端から前記サンプリングコーンの除去を生じさせることのできる下端を有するエゼクターロッドと、
前記アクチュエーターを前記エゼクターロッドと連結するねじ−ナット連結体と、を有し、
前記エゼクターロッドは、
当該エゼクターロッドの後面から当該エゼクターロッドの前面に向かって水平に伸びるノッチと、
当該エゼクターロッドの上面から前記ノッチまで垂直に延びる上ダクトと、
前記ノッチの下に前記上ダクトと軸線方向に整列する下ダクトと、
を有し、
前記ねじ−ナット連結部は、
前記アクチュエータと連結するねじと、
前記ねじを受けることのできるナットとを有し、
前記ナットは、前記ノッチに受け入れられ、
前記ねじは、前記上ダクト及び下ダクトを貫通し、かつ、前記ナットを貫通し、
前記ナットは、前記本体の長手軸線方向にほぼ平行な軸線を中心に回転し、それによって、前記エゼクターロッドを前記長手軸線方向に平行に本体に対して上下に摺動させ、前記エゼクターロッドの下端の位置を、前記本体の長手軸線方向に沿って調節することを可能にする、
ことを特徴とするサンプリングピペット。
【発明の詳細な説明】
【０００１】
本発明は液体試料を採取するためのピペットに関する。
【０００２】
例えばフランス特許第２６９６１１０号は、サンプリングピペットを開示しており、そのサンプリングピペットは、摩擦によってサンプリングピペットに保持される廃棄可能なコーンを、サンプリングピペットの下端に受け入れるのに適している。ピペットは、サンプリングボタンに隣接して、ボタン手段によって動作されるエゼクターを有する。使用したコーンを新しいコーンに交換したいときに、そのボタンを押すことにより、コーンをピペットから押し離すことができる。それにもかかわらず、そのサンプリングピペットの欠点は、エゼクターが単一種類のコーンにだけ適合することである。しかしながら、サンプリングピペットを、異なる寸法のコーンと共に使用することができることが望ましい。
【０００３】
本発明の目的は、エゼクターが異なる種類のコーンに適合することができるピペットを提供することにある。
【０００４】
この目的を達成するために、本発明は、ピペットに固定されたコーンをサンプリングピペットから分離するためのエゼクターアームを有するサンプリングピペットを提供し、サンプリングピペットは、エゼクターアームの長さを、ある範囲の値に亘って連続的に変化させることを可能にする調節手段を有する。
【０００５】
かくして、エゼクターの長さを、使用されたコーンのサンプリングピペット上の位置の機能として調節することができる。かくして、エゼクターは、多くの種類のコーンに適合することができる。
【０００６】
本発明はまた、以下の特徴の少なくとも一つを提供する。
−エゼクターアームは、ねじ−ナット連結部によって互いに連結された二つのアーム部分を有する。
−サンプリングピペットは、一方のアーム部分に対して摺動しないようにされ、かつ、ねじによって、他方のアーム部分に連結されているナット形成部品を有する。
−ナット形成部品は、サンプリングピペットの外側から直接アクセスすることができるきざみ付き車である。
−ナット形成部品に摺動自在に固定されたアーム部分は下アーム部分であり、他方のアーム部分は上アーム部分である。
−エゼクターアームは、コーンと接触するのに適した第一部分と第二部分とを有し、二つの部分は、互いに係合されており、サンプリングピペットの長手方向と本質的に垂直な方向に移動させることによって、第一部分を、操作位置から始まって本体から分離させることができる。
【０００７】
本発明の他の特徴及び利点は、非限定な例示によって与えられた好ましい実施形態の以下の説明から更に明らかである。
【０００８】
本発明の本実施形態を構成するサンプリングピペットは、フランス特許第２６９６１１０号に開示されているものと同じタイプのものである。かくして、その書類に既に開示されているピペットのある詳細について、その書類を参照することができる。コーンエゼクター機構のある側面だけをここに詳細に説明する。
【０００９】
図２を参照すると、ピペット２は、一般的には、使用者の手で保持されるハンドルとして役立つ本体１を有する。ピペットは、採取されるべき量の液体をピペットの中へ吸い込み、或いは、液体をピペットの底キャビティから放出するために、キャビティ内で、ピペットの長手方向の軸線１０に沿って摺動可能に移動できるピストン６を有する。ピストンの移動は、特に、その下端が、在来のタイプの部品によってピストンに連結された、軸線１０上のコントロールロッドによって制御される。ロッドにしっかりと固定され且つ使用者がピペットを保持する手の親指で動作することができる押しボタンが、ロッドの上部分の上に載せられている。かくして、ピストンは、ボタンの対応する移動で上下に移動する。ピペットは、ピストン及びロッドを、液体を放出する下方ストロークの終わりに高い位置まで戻すのに適したリターンスプリングと、パージスプリングとを有し、ピストンのストロークがパージストロークのために下方に続けられるとき、パージスプリングはその作用をリターンスプリングの作用に加える。
【００１０】
ピペットは、廃棄可能なサンプリングコーン９を従来の方法で受け入れるのに適した下クリップ７を有し、コーンは、下クリップの外側に摩擦によって保持される。
【００１１】
ピペットは、図１及び２に示すようにコーンエゼクター機構を有する。この機構は、ピペットの長手方向に上から下に進むにつれて、コントロールボタン１２、アクチュエーター１４、連結ねじ１６、きざみ付き車１８（ｗｈｅｅｌ）及びエゼクターロッド２０を有する。図１のエゼクター機構は、ピペットの後部分、即ち使用者の手の掌に隣接している部分にわたって延びる。
【００１２】
アクチュエーター１４は、形状がほぼ細長く、そして下方に進むにつれてテーパーしている。アクチュエーター１４は、本体２の中で軸線１０に沿って摺動自在に移動可能に、ピペットの本体２内に収容される。ピペットは、ボタン１２に加えられる下方圧力により、アクチュエーター１４を下方に移動させるように構成される。ボタンとアクチュエーターの間の連結は、従来のタイプものであってもよく、ここでは説明しない。図２に示すリターンスプリング２０は、ボタン１２が解放されたときアクチュエーター１４を上昇させるのに役立つ。
【００１３】
図３、４、５及び５Ａを参照すると、アクチュエーター１４は、雌連結部分２２によって構成された下端を有する。この部分は、ほぼＵ字形断面を有し、軸線１０に平行な方向に延びる部分部材を構成し、より詳細には、断面は、Ｕ字形の二つのリム２４が二つの端の各々に向かって互いに近寄った楕円の一部分の形態である。Ｕ字形の開口部２６は、横に、この場合にはピペットの左側に面している。連結部分２２の下縁は、Ｕ字形の内側に向って半径方向に延びるステップ２８を形成する肩部を有する。この肩部もＵ字形である。各リム２４は、リムに沿うほぼ中間点に位置した点からリムの自由端まで延びる水平ノッチ３０によってアクチュエーターの残部から分離される。連結部分は、リム２４の間にキャビティ３２を形成する。
【００１４】
図６乃至９を参照すると、連結ねじ１６は、頭部３４を有する。頭部３４は、およそ、直角の平行四辺形の形態の支持部３６と、アクチュエーターの雌連結部分２２に貫入するのに適した雄連結部分３８と、を有する。その目的のために、雄連結部分３８は、軸線１０に平行に延びる部分部材を構成し、前記軸線を横切るその断面は、ほぼ楕円形状である。連結ねじ１６はコア４０を有し、支持部３６は、コア４０に対して横方向にオフセットしてコア４０から上方に突出する。雄部分３８は、支持部３６よりも短い。雄部分３８及び支持部３６の上端は同じ高さであるが、雄部分は、ステップ２８を雄部分３８とコア４０との間に通すことができるようにコア４０から或る距離で延びる。雄部分３８は、右に延びて、支持部３６から突出し、同様に、雄部分３８は前方に延び、後に延びる。左右の図では、その輪郭はＴ字形をなしている。
【００１５】
雄部分３８は、軸線１０に垂直に横方向に移動させることによって、雌部分２２に係合によって受け入れられるのに適している。挿入が起こっている間、リム５４は広がり、次いで、互いに向って戻り、かくして、雄部分が受け入れ位置に達したことを指示するクリック音を生じる。リムは、ノッチ３０によって、及び使用される材料、この例では、熱可塑性材料である材料によって曲がる。ステップ２８は、雄部分３８とコア４０との間の位置を占める。かくして、連結ねじ１６は、アクチュエーター１４にしっかりと固定される。この連結は、分解することができる。組立て及び分解は、ねじをアクチュエーターに対して左右の横方向に並進移動させることによって行われる。
【００１６】
連結ねじのコーン４０は、平らな上プレート４２と、本質的に矩形の輪郭の薄い下部分４４と、を有する。コーンはその下端が、ねじ付きシャンク４６によって延長される。
【００１７】
図１０乃至１２を参照すると、エゼクターロッド２０は、垂直方向に細長い。その横断輪郭は、本質的に中空であり且つ開放している。それにもかかわらず、この輪郭は、図２に示すように、自由端７を形成する本体２の下エンドピース５０に摺動自在に係合されるリングを形成するために、ロッドの下端４８で閉じられる。リングは、コーンを突き出すためにコーンと直接接触するのに適している。その上、ロッド２０は、ピペットの軸線１０に位置する前記下端４８とピペットの後方部分とを、軸線１０に対して心ずれしているロッドの上端で、接合させるように、形状が本質的に非矩形である。
【００１８】
ロッドは、この上端に、ロッドの上面５４から、ロッドの後面からロッドの前面に向かってロッドに水平に延びるノッチ５６まで延びる矩形断面の垂直上ダクト５２を有する。ロッドは、ノッチの下に上ダクト５２と軸線方向に整列する下ダクト５８を有し、この下ダクト５８は円形断面である。下ダクト５８の直径は、上ダクト５２の断面の幅と等しく、また、ねじ１６のねじ付きシャンク４６の直径は、支持部の下部分４４の幅と等しい。
【００１９】
きざみ付き車１８は、ねじ１６のシャンク４６とのねじ−ナット連結部を形成する、中央ねじ付きボアを有する。
【００２０】
きざみ付き車１８は、ダクト５２及び５８と同じ軸線上のノッチ５６に受け入れられる。ねじ１６は、両ダクトを貫通し、且つ又車を貫通する。雄部分３８は、上面５４から突出し、上ダクト５２に収容された支持部の矩形部分４４が、ロッド２０がねじに対して回るのを防止するとともに、ロッド２０及びねじを互いに対して摺動させる。きざみ付き車１８は、ねじのシャンク４６とのねじ−ナット連結部を形成する。ねじ付きシャンクの下部分は、下ダクト５８に摺動自在に受け入れられる。かくして、ロッド２０は、第１に連結ねじ１６によって、第２にエンドピースに係合したリング４８によって、ピペットに連結される。
【００２１】
きざみ付き車１８は、使用者がピペットの後側からノッチを介して直接アクセス可能である。車を回すことにより、ロッド２０を、軸線１０に平行に本体２に対して上下に摺動させ、それによって、使用された廃棄可能なコーンのタイプの機能として、ロッドの位置を調整する。
【００２２】
コーンを突き出すために、ロッド２０がそのストロークの下端に来るまでボタン１２を下げ、それによって、コーンを下方に押して、コーンをピペットから取り外す。
【００２３】
エゼクター機構が休止している、即ちそのストロークの上端にあるとき、雄部分３８及び雌部分２２は、ピペットの本体の内に収容され、それらは、使用者にとってアクセス不可能である。その上、それらは、衝撃及び汚れから保護される。ロッド２０は、この位置では取り外すことができない。
【００２４】
ロッド２０を取り外し且つロッド２０をピペットから分離するために、ボタン１２を、ロッドをストロークの下端に置くように下げる。すると、雄部分及び雌部分を見ることができる。次いで、ロッド２０を横に移動させて、上述したように且つ図１３に示すように、雄部分と雌部分を分離する。これにより、ロッド２０を、ピペットの本体に対して傾け、そのような傾けは、リング４８でのクリアランスによって可能になる。その後、ロッドの下部分を下方に摺動させ、ロッドをピペットから取り外す。再組立は、操作を逆の順序でたどることによって行われる。ロッド２０を、先行技術で公知の長手方向の摩擦連結とは異なり、力を加えることなく取り付け且つ取り外すことができる。
【００２５】
かくして、ロッド２０、きざみ付き車１８及びねじ１６が、アクチュエーターによって構成されるように、アームの第２の部分に横方向に係合されるのに適したエゼクターアームの第１の部分を構成することが分かる。
【００２６】
ロッドは、ロッドが連結ねじ１６から外れるまできざみ付き車を回すことによって、この実施形態では、取り外すことができることを気付くべきである。しかしながら、そのことは、ロッド２０、ねじ１６及びきざみ付き車１８を互いに分離し、上述した手順は、これら３つの部品を互いに連結させておく。
【００２７】
ステップ２８のために、ロッド２０は、軸線１０に平行に摺動することによってアクチュエーター１４から分離させることができない。相対的な横移動によって、それらを分離することによって始めることが必要である。そのため、コーンを突き出す間に不意な分離が起こるおそれはない。
【００２８】
きざみ付き車１８は、アクチュエーター１４及びロッド２０によって構成されたエゼクターアームの長さをある範囲の長さの値にわたって調整するのに役立つ。
【００２９】
当然に、多くの変形例を、本発明の範囲を超えることなく本発明に適用することができる。
【００３０】
例えば、ロッド２０を、エゼクターのこれらの部品間の相対的な摺動の障害物を形成する他のタイプの連結、例えば１つ又はそれ以上のねじ−ナット連結又は差込連結を使用してアクチュエーター１４に連結してもよい。
【００３１】
ある連続範囲の値に亘るアーム長の調節に関する特徴は、長手方向と垂直な方向に分離するように互いに係合した二つのアーム部分に関する特徴と無関係に実行される。
【図面の簡単な説明】
【図１】  本発明の好適な実施形態を構成するピペットのエゼクター機構の斜視図である。
【図２】  図１の機構をどのようにして位置決めするかを示す、ピペットの軸線方向部分断面図である。
【図３】  図１の機構のアクチュエータの斜視図である。
【図４】  図１の機構のアクチュエータの斜視図である。
【図５】  図３のアクチュエータのＶＩ−ＶＩ平面の軸線方向部分断面図である。
【図５Ａ】  図５のアクチュエータのＡ−Ａ平面の軸線方向断面図である。
る。
【図６】  図１の機構の連結ねじの背面図である。
【図７】  図１の機構の連結ねじの左側面図である。
【図８】  図７のＶＩＩＩ−ＶＩＩＩ平面における断面図である。
【図９】  図７のＩＶ−ＩＶ平面における断面図である。
【図１０】  図１の機構のエゼクターロッドの斜視図である。
【図１１】  図１の機構のエゼクターロッドの軸線断面図である。
【図１２】  図１０のエゼクターロッドの平面図である。
【図１３】  エゼクターロッドをどのようにしたピペットに取り付けるかを示す線図である。
【図１】
0004255638.tif 000002
【図２】
0004255638.tif 000003
【図３】
0004255638.tif 000004
【図４】
0004255638.tif 000005
【図５】
0004255638.tif 000006
【図５Ａ】
0004255638.tif 000007
【図６】
0004255638.tif 000008
【図７】
0004255638.tif 000009
【図８】
0004255638.tif 000010
【図９】
0004255638.tif 000011
【図１０】
0004255638.tif 000012
【図１１】
0004255638.tif 000013
【図１２】
0004255638.tif 000014
【図１３】
0004255638.tif 000015